(57)【要約】【課題】事前に会員登録を行っていない状態でもサービスポイントなど購入金額に応じて与えられるデータを利用することを可能にする。【解決手段】ＰＯＳ端末は、Ｓ４にて、携帯情報端末から仮の識別子を受信すると、続いて、Ｓ５にて、購入した商品について精算処理を終了したかをチェックし、終了していれば、Ｓ６にて、購入金額に応じて与えるサービスポイントのデータを生成し、これに店舗コード、有効期限を決める為の日付情報、仮の識別子、使用上限回数を付加して電子バリューを生成する。そして、この電子バリューに電子署名を付加する。続いて、Ｓ７にて、生成した電子署名付き電子バリューを携帯情報端末に送信する。【選択図】      図９
2005258759.tif 000002
【特許請求の範囲】
【請求項１】
ネットワークを介して無線通信可能な携帯情報端末と、商品販売情報を登録する販売情報登録端末とからなり、
前記携帯情報端末は、仮の識別子を発行する識別子発行手段と、この発行手段が発行した仮の識別子を前記販売情報登録端末へ送信する識別子送信手段と、前記販売情報登録端末から電子バリューを受信して記憶部に格納する電子バリュー受信手段と、前記記憶部に格納した電子バリューを精算に利用する為に前記販売情報登録端末へ送信する電子バリュー送信手段を設け、
前記販売情報登録端末は、前記携帯情報端末からの仮の識別子を受信する識別子受信手段と、この受信手段が仮の識別子を受信すると購入金額に応じて与えるデータ及び仮の識別子を含む電子バリューを発行する電子バリュー発行手段と、この発行手段が発行した電子バリューを前記携帯情報端末に送信する電子バリュー送信手段と、精算時に前記携帯情報端末から電子バリューを受信する電子バリュー受信手段とを設け、受信した電子バリューを精算処理に使用することを特徴とする会員システム。
【請求項２】
携帯情報端末の識別子発行手段は、所定のウエブサイトあるいは販売情報登録端末からダウンロードしたプログラムによって仮の識別子を発行することを特徴とする請求項１記載の会員システム。
【請求項３】
販売情報登録端末の電子バリュー発行手段は、発行する電子バリューに、この電子バリューが精算時に使用できる使用上限回数を設定したことを特徴とする請求項１記載の会員システム。
【請求項４】
携帯情報端末からの仮の識別子を受信する識別子受信手段と、この受信手段が仮の識別子を受信すると購入金額に応じて与えるデータ及び仮の識別子を含む電子バリューを発行する電子バリュー発行手段と、この発行手段が発行した電子バリューを前記携帯情報端末に送信する電子バリュー送信手段と、精算時に前記携帯情報端末から電子バリューを受信する電子バリュー受信手段とを設け、受信した電子バリューを精算処理に使用することを特徴とする販売情報登録端末。
【請求項５】
ネットワークを介して無線通信可能な携帯情報端末と、商品販売情報を登録する販売情報登録端末とからなり、
前記携帯情報端末は、仮の識別子を発行する識別子発行手段と、この発行手段が発行した仮の識別子を前記販売情報登録端末へ送信する識別子送信手段と、前記販売情報登録端末から電子バリューを受信して記憶部に格納する電子バリュー受信手段と、前記記憶部に格納した電子バリューを精算に利用する為に前記販売情報登録端末へ送信する電子バリュー送信手段とを設け、
前記販売情報登録端末は、前記携帯情報端末からの仮の識別子を受信する識別子受信手段と、この受信手段が仮の識別子を受信すると購入金額に応じて与えるデータ及び仮の識別子を含む電子バリューを、有効期限を決める為の日付情報を付けて発行する電子バリュー発行手段と、この発行手段が発行した電子バリューを前記携帯情報端末に送信する電子バリュー送信手段と、精算時に前記携帯情報端末から電子バリューを受信する電子バリュー受信手段と、この受信手段が受信した電子バリューに付けられている日付情報によって有効期限内か否かを判断する判断手段とを設け、前記判断手段が有効期限内であることを判断したとき、前記電子バリューを精算処理に使用することを特徴とする会員システム。
【請求項６】
携帯情報端末からの仮の識別子を受信する識別子受信手段と、この受信手段が仮の識別子を受信すると購入金額に応じて与えるデータ及び仮の識別子を含む電子バリューを、有効期限を決める為の日付情報を付けて発行する電子バリュー発行手段と、この発行手段が発行した電子バリューを前記携帯情報端末に送信する電子バリュー送信手段と、精算時に前記携帯情報端末から電子バリューを受信する電子バリュー受信手段と、この受信手段が受信した電子バリューに付けられている日付情報によって有効期限内か否かを判断する判断手段とを設け、前記判断手段が有効期限内であることを判断したとき、前記電子バリューを精算処理に使用することを特徴とする販売情報登録端末。
【請求項７】
ネットワークを介して無線通信可能な携帯情報端末と、商品販売情報を登録する販売情報登録端末とからなり、
前記携帯情報端末は、仮の識別子を発行する識別子発行手段と、この発行手段が発行した仮の識別子を前記販売情報登録端末へ送信する識別子送信手段と、前記販売情報登録端末から電子署名付き電子バリューを受信して記憶部に格納する電子バリュー受信手段と、前記記憶部に格納した電子署名付き電子バリューを精算に利用する為に前記販売情報登録端末へ送信する電子バリュー送信手段とを設け、
前記販売情報登録端末は、前記携帯情報端末からの仮の識別子を受信する識別子受信手段と、この受信手段が仮の識別子を受信すると購入金額に応じて与えるデータ及び仮の識別子を含む電子バリューを発行する電子バリュー発行手段と、この発行手段が発行した電子バリューに電子署名を付加する電子署名付加手段と、電子署名付き電子バリューを前記携帯情報端末に送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、前記判断手段が電子バリューの正当性を判断したとき、前記電子バリューを精算処理に使用することを特徴とする会員システム。
【請求項８】
携帯情報端末からの仮の識別子を受信する識別子受信手段と、この受信手段が仮の識別子を受信すると購入金額に応じて与えるデータ及び仮の識別子を含む電子バリューを発行する電子バリュー発行手段と、この発行手段が発行した電子バリューに電子署名を付加する電子署名付加手段と、電子署名付き電子バリューを前記携帯情報端末に送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、前記判断手段が電子バリューの正当性を判断したとき、前記電子バリューを精算処理に使用することを特徴とする販売情報登録端末。
【請求項９】
ネットワークを介して無線通信可能な携帯情報端末と、商品販売情報を登録する販売情報登録端末とからなり、
前記携帯情報端末は、前記販売情報登録端末に自己のメールアドレスを送信するアドレス送信手段と、前記販売情報登録端末から電子署名付き電子バリューを受信して記憶部に格納する電子バリュー受信手段と、前記記憶部に格納した電子署名付き電子バリューを精算に利用する為に前記販売情報登録端末へ送信する電子バリュー送信手段とを設け、
前記販売情報登録端末は、前記携帯情報端末からのメールアドレスを受信するアドレス受信手段と、この受信手段がメールアドレスを受信すると仮の識別子を発行する識別子発行手段と、この発行手段が発行した識別子及び購入金額に応じて与えるデータを含む電子バリューを発行する電子バリュー発行手段と、この発行手段が発行した電子バリューに電子署名を付加する電子署名付加手段と、受信したメールアドレスに、発行した電子署名付き電子バリューをメールとして送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、前記判断手段が電子バリューの正当性を判断したとき、前記電子バリューを精算処理に使用することを特徴とする会員システム。
【請求項１０】
携帯情報端末からのメールアドレスを受信するアドレス受信手段と、この受信手段がメールアドレスを受信すると仮の識別子を発行する識別子発行手段と、この発行手段が発行した識別子及び購入金額に応じて与えるデータを含む電子バリューを発行する電子バリュー発行手段と、この発行手段が発行した電子バリューに電子署名を付加する電子署名付加手段と、受信したメールアドレスに、発行した電子署名付き電子バリューをメールとして送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、前記判断手段が電子バリューの正当性を判断したとき、前記電子バリューを精算処理に使用することを特徴とする販売情報登録端末。
【請求項１１】
ネットワークを介して無線通信可能な携帯情報端末と、商品販売情報を登録する販売情報登録端末と、この販売情報登録端末と接続し、登録した会員の情報を管理するサーバとからなり、
前記携帯情報端末は、仮の識別子を発行する識別子発行手段と、この発行手段が発行した仮の識別子を前記販売情報登録端末へ送信する識別子送信手段と、前記販売情報登録端末から電子署名付き電子バリューを受信して記憶部に格納する第１の電子バリュー受信手段と、個人情報を入力する個人情報入力手段と、前記記憶部に格納した電子署名付き電子バリューと入力した個人情報を前記サーバへ送信する第１の電子バリュー送信手段と、前記サーバから電子署名付き電子バリューを受信して前記記憶部に格納する第２の電子バリュー受信手段と、前記記憶部に格納した電子署名付き電子バリューを精算に利用する為に前記販売情報登録端末へ送信する第２の電子バリュー送信手段とを設け、
前記販売情報登録端末は、前記携帯情報端末からの仮の識別子を受信する識別子受信手段と、この受信手段が仮の識別子を受信すると購入金額に応じて与えるデータ及び仮の識別子を含む電子バリューを発行する電子バリュー発行手段と、この発行手段が発行した電子バリューに電子署名を付加する電子署名付加手段と、電子署名付き電子バリューを前記携帯情報端末に送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、
前記サーバは、前記携帯情報端末から電子署名付き電子バリューと個人情報を受信する受信手段と、この受信手段にて電子バリューと個人情報を受信すると、会員識別子を発行する会員識別子発行手段と、この会員識別子と関連付けて受信した個人情報をデータベースに登録する会員登録手段と、会員識別子と関連付けて電子バリューを発行する電子バリュー発行手段と、この発行手段が発行した電子バリューに電子署名を付加する電子署名付加手段と、電子署名付き電子バリューを前記携帯情報端末に送信する電子バリュー送信手段とを設け、
前記販売情報登録端末は、前記判断手段が電子バリューの正当性を判断したとき、受信した電子バリューを精算処理に使用することを特徴とする会員システム。
【請求項１２】
ネットワークを介して無線通信可能な携帯情報端末と、商品販売情報を登録する販売情報登録端末と、この販売情報登録端末と接続し、登録した会員の情報を管理するサーバとからなり、
前記携帯情報端末は、前記販売情報登録端末に自己のメールアドレスを送信するアドレス送信手段と、前記販売情報登録端末から電子署名付き電子バリューを受信して記憶部に格納する第１の電子バリュー受信手段と、前記販売情報登録端末から受信した申し込みフォーマットに従って個人情報を入力する個人情報入力手段と、前記記憶部に格納した電子署名付き電子バリューと入力した個人情報を前記サーバへ送信する第１の電子バリュー送信手段と、前記サーバから電子署名付き電子バリューを受信して前記記憶部に格納する第２の電子バリュー受信手段と、前記記憶部に格納した電子署名付き電子バリューを精算に利用する為に前記販売情報登録端末へ送信する第２の電子バリュー送信手段とを設け、
前記販売情報登録端末は、前記携帯情報端末からのメールアドレスを受信するアドレス受信手段と、この受信手段がメールアドレスを受信すると仮の識別子を発行する識別子発行手段と、この発行手段が発行した識別子及び購入金額に応じて与えるデータを含む電子バリューを発行する電子バリュー発行手段と、この発行手段が発行した電子バリューに電子署名を付加する電子署名付加手段と、受信したメールアドレスに、発行した電子署名付き電子バリューを、前記サーバへの会員登録用の申し込みフォーマットを付加しメールとして送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、
前記サーバは、前記携帯情報端末から電子署名付き電子バリューと個人情報を受信する受信手段と、この受信手段にて電子バリューと個人情報を受信すると、会員識別子を発行する会員識別子発行手段と、この会員識別子と関連付けて受信した個人情報をデータベースに登録する会員登録手段と、会員識別子と関連付けて電子バリューを発行する電子バリュー発行手段と、この発行手段が発行した電子バリューに電子署名を付加する電子署名付加手段と、電子署名付き電子バリューを前記携帯情報端末に送信する電子バリュー送信手段とを設け、
前記販売情報登録端末は、前記判断手段が電子バリューの正当性を判断したとき、受信した電子バリューを精算処理に使用することを特徴とする会員システム。
【請求項１３】
販売情報登録端末の電子バリュー発行手段は、有効期限を決める為の日付情報を付けて電子バリューを発行し、
サーバの電子バリュー発行手段は、有効期限を決める為の日付情報を付けて電子バリューを発行し、
前記サーバが発行する電子バリューの有効期限を、前記販売情報登録端末が発行する電子バリューの有効期限よりも長く設定したことを特徴とする請求項１１又は１２記載の会員システム。
【請求項１４】
携帯情報端末からのメールアドレスを受信するアドレス受信手段と、この受信手段がメールアドレスを受信すると仮の識別子を発行する識別子発行手段と、この発行手段が発行した識別子及び購入金額に応じて与えるデータを含む電子バリューを発行する電子バリュー発行手段と、この発行手段が発行した電子バリューに電子署名を付加する電子署名付加手段と、受信したメールアドレスに、発行した電子署名付き電子バリューを、サーバへの会員登録用の申し込みフォーマットを付加しメールとして送信する電子バリュー送信手段と、精算時に前記携帯情報端末から電子署名付き電子バリューを受信する電子バリュー受信手段と、この受信手段が受信した電子バリューに付加されている電子署名によって電子バリューの正当性の有無を判断する判断手段とを設け、前記判断手段が電子バリューの正当性を判断したとき、受信した電子バリューを精算処理に使用することを特徴とする販売情報登録端末。
【発明の詳細な説明】
【技術分野】
【０００１】
本発明は、店舗等において提供されるサービスポイントなど、精算時において一定の交換価値を持つデータを電子的に扱う会員システム及びこの会員システムに使用する販売情報登録端末に関する。
【背景技術】
【０００２】
従来、この種のシステムにおいてカードによる煩雑な運用を無くすために、携帯電話などの移動通信機器を使用してサービスを享受できるものが知られている。すなわち、移動通信機器の加入時に識別情報として電話番号、利用者ＩＤ、暗証番号を付与する構成とし、識別情報が付与された移動通信機器は店舗や施設や機関などで一定のサービスポイントの提供を受けると、それを電子的に取り込んで管理センタにそれを通知する。管理センタでは会員毎にサービスポイントを電子的なデータとして蓄積し、また、使用するときには蓄積したサービスポイントを該当する移動通信機器に提供する（例えば、特許文献１参照）。
【特許文献１】特開２００２−１６３５３４公報
【発明の開示】
【発明が解決しようとする課題】
【０００３】
しかしながら、この特許文献のものは、携帯電話などの移動通信機器の加入時に会員登録を行っていることが前提となっており、会員として登録をしていない人が移動通信機器を所持して店舗で買物を行い、サービスポイントを受けても、このシステムには反映させることができなかった。
【０００４】
本発明は、事前に会員登録を行っていない状態でもサービスポイントなど購入金額に応じて与えられるデータを利用することができ、これにより会員の確保も容易にできる会員システム及びこの会員システムに使用する販売情報登録端末を提供する。
【課題を解決するための手段】
【０００５】
本発明は、ネットワークを介して無線通信可能な、例えば携帯電話などの携帯情報端末と、商品販売情報を登録するＰＯＳ端末などの販売情報登録端末とからなり、携帯情報端末は、仮ＩＤ等の仮の識別子を発行する識別子発行手段と、この発行手段が発行した仮の識別子を販売情報登録端末へ送信する識別子送信手段と、販売情報登録端末から、例えばサービスポイントデータを含む電子バリューを受信して記憶部に格納する電子バリュー受信手段と、記憶部に格納した電子バリューを精算に利用する為に販売情報登録端末へ送信する電子バリュー送信手段を設け、販売情報登録端末は、携帯情報端末からの仮の識別子を受信する識別子受信手段と、この受信手段が仮の識別子を受信すると購入金額に応じて与える、例えばサービスポイントデータ及び仮の識別子を含む電子バリューを発行する電子バリュー発行手段と、この発行手段が発行した電子バリューを携帯情報端末に送信する電子バリュー送信手段と、精算時に携帯情報端末から電子バリューを受信する電子バリュー受信手段とを設け、受信した電子バリューを精算処理に使用することにある。
【発明の効果】
【０００６】
本発明によれば、事前に会員登録を行っていない状態でもサービスポイントデータなど購入金額に応じて与えられるデータを利用することができ、これにより会員の確保も容易にできる。
【発明を実施するための最良の形態】
【０００７】
以下、本発明の実施の形態を、図面を参照して説明する。  
（第１の実施の形態）
図１はシステム構成を示す図で、１は１つの店舗の、あるいはチェーン店における複数の店舗の、販売データ等の管理を行う店舗サーバ、２はこの店舗サーバ１のＬＡＮケーブル３を介して接続された販売情報登録端末としての複数のＰＯＳ端末である。前記各ＰＯＳ端末２は店舗の精算所に設置され、顧客が購入する商品について販売登録を行い、最終的に顧客に支払金額を提示して支払いを受け、それにより登録の締めを行うものである。
【０００８】
前記店舗サーバ１は公衆網／ネットワーク４に接続している。前記各ＰＯＳ端末２は赤外線通信やBluetooth或いは非接触ＩＣカードに代表される電磁波による近距離通信部５を接続している。そして、この近距離通信部５を介して前記ＰＯＳ端末２は携帯電話等の携帯情報端末６と無線通信するようになっている。前記携帯情報端末６は、また、公衆網／ネットワーク４を経由して店舗サーバ１とも無線通信が行えるようになっている。
【０００９】
前記各ＰＯＳ端末２は、図２に示すように、前記ＬＡＮケーブル３に接続したサーバ接続部１１、ＣＰＵ（中央処理ユニット）、ＲＯＭ（リード・オンリー・メモリ）、ＲＡＭ（ランダム・アクセス・メモリ）等からなり、各種アプリケーションの実行を行うアプリケーション実行部１２、書き換え可能な大容量メモリからなる記憶部１３、キーボートを有するキー入力部１４、液晶ディスプレイなどからなる画像やテキストなどの情報を表示する表示部１５、前記携帯情報端末６と電磁波による近距離通信を行う近距離通信部５、レシート印刷や伝票印刷等を行う印刷部１６によって構成されている。
【００１０】
前記店舗サーバ１は、図３に示すように、前記公衆網／ネットワーク４に接続したネットワーク接続部２１、ＣＰＵ（中央処理ユニット）、ＲＯＭ（リード・オンリー・メモリ）、ＲＡＭ（ランダム・アクセス・メモリ）等からなり、各種アプリケーションの実行を行うアプリケーション実行部２２、書き換え可能な大容量メモリからなる記憶部２３、キーボートを有するキー入力部２４、液晶ディスプレイなどからなる画像やテキストなどの情報を表示する表示部２５によって構成されている。
【００１１】
前記携帯情報端末６は、図４に示すように、無線通信によって前記公衆網／ネットワーク４に接続可能なネットワーク接続部３１、ＣＰＵ、ＲＯＭ、ＲＡＭ等からなり、各種アプリケーションの実行を行うアプリケーション実行部３２、書き換え可能な大容量メモリからなる記憶部３３、キーボートを有するキー入力部３４、液晶ディスプレイからなる画像やテキストなどの情報を表示する表示部３５、前記ＰＯＳ端末２に対して近接して無線受信を行う無線通信部３６によって構成されている。
【００１２】
前記携帯情報端末６のアプリケーション実行部３２は、通常の機能に加えて、仮の識別子を発行する識別子発行手段、この発行手段が発行した仮の識別子を前記ＰＯＳ端末２に送信する識別子送信手段、前記ＰＯＳ端末２から電子バリューを受信して記憶部３３に記憶する電子バリュー受信手段、前記記憶部３３に格納した電子バリューを精算に利用する為に前記ＰＯＳ端末２へ送信する電子バリュー送信手段等を設けている。
【００１３】
前記識別子発行手段を構成するプログラムは、例えば、所定のＷＥＢ（ウエブ）サイトやＰＯＳ端末２からダウンロードしたプログラムで、このプログラムを起動して図５に示すデータ構成フォーマットの仮の識別子を発行するようになっている。すなわち、仮の識別子は、店舗コード、日付、乱数、チェックデジットの各データで構成される。店舗コードは店舗により固定のデータであり、乱数は乱数発生アルゴリズムにより自動生成されるデータであり、チェックデジットは店舗コード、日付、乱数の各データから特定の生成式によりプログラムで自動生成されるデータである。
【００１４】
前記ＰＯＳ端末２のアプリケーション実行部１２は、販売商品の登録処理、販売金額の精算処理など、通常の機能に加えて、前記近距離通信部５を介して携帯情報端末６から仮の識別子を受信する識別子受信手段、この受信手段が仮の識別子を受信すると購入金額に応じて交換価値を有する電子バリューを発行する電子バリュー発行手段、発行した電子バリューに電子署名を付加する電子署名付加手段、発行した電子バリューに、この電子バリューが精算時に使用できる使用上限回数を設定する設定手段、発行した電子署名付き電子バリューを、近距離通信部５を介して携帯情報端末６に送信する電子バリュー送信手段、精算時に携帯情報端末６から電子署名付き電子バリューを受信する電子バリュー受信手段等を設けている。
【００１５】
前記ＰＯＳ端末２が発行する電子署名付き電子バリューのデータ構成フォーマット例を示すと、図６に示すようになる。この電子バリューは、店舗コード、日付、仮の識別子、購入金額に応じて店が与えるサービスポイントのデータ、設定した使用上限回数からなり、これに電子署名が付加される。日付は、有効期限を決める為の日付で、有効期限の最後の日付であっても、あるいは発行日であってもよい。
【００１６】
電子バリューに付加される電子署名は、電子署名付加手段によって付加されるが、具体的には、図７に示すように、電子署名生成アルゴリズム４１を使用する。この電子署名生成アルゴリズム４１は、ＲＳＡなどの公開鍵暗号アルゴリズムに秘密鍵を設定し、これに、店舗コード、日付、仮の識別子、サービスポイントのデータ、使用上限回数からなる電子バリューを入力して電子署名を生成するようになっている。
【００１７】
こうして生成される電子署名は、公開鍵暗号により、秘密鍵に対応した公開鍵でなければ復号ができないことになる。なお、電子バリューの代りに電子バリューに対応したチェックデジットを入力してもよい。その他、特定のデータであってもよい。
【００１８】
前記店舗サーバ１は、会員番号や個人情報及び電子バリューの保管、会員データの登録や削除等を行う。店舗サーバ１のアプリケーション実行部２２は、携帯情報端末６から電子署名付き電子バリューと個人情報を受信する受信手段、この受信手段にて電子バリューと個人情報を受信すると、本識別子である会員識別子を発行する会員識別子発行手段、この会員識別子と関連付けて受信した個人情報をデータベース２４に登録する会員登録手段、会員識別子と関連付けて電子バリューを発行する電子バリュー発行手段、この発行手段が発行した電子バリューに電子署名を付加する電子署名付加手段、電子署名付き電子バリューを前記携帯情報端末６に送信する電子バリュー送信手段等を設けている。
【００１９】
このシステムにおいては、携帯情報端末６は、図８に示すように、Ｓ１にて、公衆網／ネットワーク４を経由して、決められたＷＥＢサイト、あるいはＰＯＳ端末２からの仮の識別子を生成するプログラムをダウンロードする。これにより、携帯情報端末６のアプリケーション実行部３２に仮の識別子を発行する識別子発行手段が形成される。この作業は、予め行っても、また、実際にＰＯＳ端末２の近くに来たときに行っても良い。
【００２０】
購入する商品を籠に入れた顧客は精算のためのＰＯＳ端末２の設置してある精算所に行き、ＰＯＳ端末２を操作するオペレータに渡す。オペレータは顧客から籠を受け取ると、籠から商品を取り出し、例えばスキャナーで商品に付されているバーコードを読取るという登録作業を行う。
【００２１】
このとき、顧客は会員登録をしていないが所持している携帯情報端末６を操作して仮の識別子を発行する。すなわち、図１０に示すように、Ｓ２にて、ダウンロードしたプログラムを起動し、仮の識別子を生成する（識別子発行手段）。そして、Ｓ３にて、生成した仮の識別子をＰＯＳ端末２に送信する（識別子送信手段）。
【００２２】
これに対し、ＰＯＳ端末２は、図９に示すように、Ｓ４にて、携帯情報端末６から仮の識別子を受信する（識別子受信手段）。続いて、Ｓ５にて、購入した商品について精算処理を終了したかをチェックし、終了していれば、Ｓ６にて、購入金額に応じて与えるサービスポイントのデータを生成し、これに店舗コード、有効期限を決める為の日付情報、仮の識別子、使用上限回数を付加して電子バリューを生成する（電子バリュー発行手段）。そして、この電子バリューに電子署名を付加する（電子署名付加手段）。続いて、Ｓ７にて、生成した電子署名付き電子バリューを携帯情報端末６に送信する（電子バリュー送信手段）。
【００２３】
これに対し、携帯情報端末６は、図１０に示すように、Ｓ８にて、電子バリューの受信を確認すると、Ｓ９にて、受信した電子署名付き電子バリューを記憶部３３に保存する（電子バリュー受信手段）。  
このように、商品を購入する顧客は予め会員登録をしなくてもＰＯＳ端末２からサービスに伴う電子バリューを携帯情報端末６で受信して保存することができる。
【００２４】
また、ＰＯＳ端末２は、電子署名付き電子バリューを携帯情報端末６に送信すると、この電子署名付き電子バリューを店舗サーバ１にも送信する。店舗サーバ１はＰＯＳ端末２からの電子署名付き電子バリューを受信すると、仮の識別子に対してこの電子バリューをデータベース２４に保存する。
【００２５】
また、購入した商品の精算の為に精算所に行った顧客の操作により、電子署名付き電子バリューを記憶部３３に保存している携帯情報端末６はＰＯＳ端末２に電子署名付き電子バリューを送信する（電子バリュー送信手段）。
【００２６】
これに対し、ＰＯＳ端末２は、図１１に示すように、Ｓ１１にて、携帯情報端末６から電子署名付き電子バリューを受信する（電子バリュー受信手段）。そして、Ｓ１２にて、電子署名を復号し、Ｓ１３にて、電子署名の正当性を判断する。すなわち、電子署名生成アルゴリズム４１に公開鍵を設定して電子署名を復号し、復号されたデータが仮の識別子の発行時に生成された電子バリューと同じか否かを判断する（判断手段）。
【００２７】
そして、正当であることを判断したときには、続いて、Ｓ１４にて、電子バリューに設定されている日付情報とＰＯＳ端末２の時計機能が計時している現在の日付情報と比較して有効期限内か否かを判断する（判断手段）。そして、有効期限内であることを判断すると、Ｓ１５にて、購入した商品について精算処理を終了したかをチェックする。  
精算が終了していれば、Ｓ１６にて、購入金額から電子バリューにあるサービスポイントデータ分を減算する。そして、Ｓ１７にて、更新した電子バリューを店舗サーバ１に送信する。
【００２８】
また、電子署名が正当でないと判断したときや電子バリューの日付情報が有効期限外であると判断したときは、減算処理を行うことなく精算処理を終了する。  
このように会員登録をしていない顧客であっても携帯情報端末６が保存している電子署名付き電子バリューが有効期限内であれば使用することができることになる。
【００２９】
また、電子バリューには、さらに使用上限回数も設定してある。これは、仮の識別子も基で生成した電子バリューの使用回数に制限を設定したもので、例えば、使用回数「３回」を設定していれば、ＰＯＳ端末２で使用される毎に回数が減算され、使用回数が「０回」になると電子バリューにデータが残っていても使用できなくなる。従って、顧客は３回使用する前に会員登録すればよく、これにより継続して使用できるようになる。
【００３０】
次に、電子署名付き電子バリューを記憶部３３に保存している携帯情報端末６を所持している顧客が会員登録する場合について述べる。  
すなわち、携帯情報端末６は、図１２に示すように、Ｓ２１にて、記憶部３３に保存している電子署名付き電子バリューを公衆網／ネットワーク４を経由して店舗サーバ１に送信する（第１の電子バリュー送信手段）。そして、Ｓ２２にて、店舗サーバ１からの個人情報の要求受信に待機し、個人情報の要求を受信すると、Ｓ２３にて、キー入力部３４を操作して個人情報を入力し（個人情報入力手段）、入力した個人情報を店舗サーバ１へ送信する（第１の電子バリュー送信手段）。なお、個人情報の入力においては予め記憶部に記憶されているものについてはそれを読み出して使用する。
【００３１】
その後、Ｓ２４にて、店舗サーバ１からの電子バリューの受信に待機し、電子バリューを受信すると、Ｓ２５にて、受信した電子署名付き電子バリューを記憶部３３に保存する（第２の電子バリュー受信手段）。
【００３２】
これに対し、店舗サーバ１は、図１５に示すように、先ず、Ｓ３１にて、携帯情報端末６からの電子署名付き電子バリューを受信する（受信手段）。そして、Ｓ３２にて、携帯情報端末６に対し、個人情報を要求する。このときの個人情報としては、例えば、氏名、年齢、性別、電話番号等を要求する。そして、Ｓ３３にて、携帯情報端末６からの個人情報の受信を確認すると、Ｓ３４にて、図１３に示すように、店舗コード、日付情報、会員番号及びチェックデジットからなるデータ構成フォーマットの会員識別子を生成する（会員識別子発行手段）。
【００３３】
また、会員番号を新規に発行しデータベース２４に図１６に示すように会員番号と個人情報を関連付けて登録する（会員登録手段）。  
続いて、Ｓ３５にて、受信した電子署名を復号し、Ｓ３６にて、電子署名の正当性を判断する。すなわち、電子署名生成アルゴリズム４１に公開鍵を設定して電子署名を復号し、復号されたデータが仮の識別子の発行時に生成された電子バリューと同じか否かを判断する。
【００３４】
そして、正当であることを判断したときには、続いて、Ｓ３７にて、電子バリューに設定されている日付情報と店舗サーバ１の時計機能が計時している現在の日付情報と比較して有効期限内か否かを判断する。そして、有効期限内であることを判断すると、Ｓ３８にて、データベース２４に会員番号及び個人情報と関連付けて電子バリューを登録する。また、会員識別子のチェックデジットを使用して、店舗コード、日付情報、会員識別子（チェックデジット）、サービスポイントのデータからなる電子バリューを生成する（電子バリュー発行手段）。そして、この電子バリューに電子署名を付加する（電子署名付加手段）。こうして、図１４に示すデータ構成フォーマットを持つ電子署名付き電子バリューを生成する。
【００３５】
また、電子署名が正当でないと判断したときや電子バリューの日付情報が有効期限外であると判断したときは、Ｓ３９にて、電子バリューのデータを「０」にリセットし、Ｓ３８にて、データ＝０とした電子署名付き電子バリューを生成する。なお、この場合において会員登録時に一定のポイントがサービスとして与えられる場合には、そのポイントをデータとして初期設定してもよい。  
続いて、Ｓ４０にて、データベース２４の個人情報と電子バリューを更新し、Ｓ４１にて、電子署名付き電子バリューを携帯情報端末６へ送信する（電子バリュー送信手段）。
【００３６】
会員登録時に生成した電子署名付き電子バリューに設定されている有効期限は仮の識別子を使用して生成した電子バリューに設定されている有効期限に比べ期間を長く設定している。これにより、会員として登録した場合には有効期限が延びて有利になることをアピールでき会員登録を勧める上で有効となる。
【００３７】
このように、事前に会員登録を行っていない状態でもサービスポイントデータを含む電子バリューを利用することができ、これにより会員の確保も容易にできる。  
なお、電子署名付き電子バリューを携帯情報端末６とＰＯＳ端末２との間で通信する場合や携帯情報端末６と店舗サーバ１との間で通信する場合に暗号化すれば、通信のセキュリティを充分に確保することができる。
【００３８】
（第２の実施の形態）
なお、前述した実施の形態では、携帯情報端末６に仮の識別子を発行する為のプログラムをダウンロードし、携帯情報端末６がこのプログラムを起動して仮の識別子を発行するようにしたが、この実施の形態では、携帯情報端末６から近距離通信にてＰＯＳ端末２にメールアドレスを送信することで、ＰＯＳ端末２が仮の識別子を発行する場合について述べる。全体のシステム構成は前述した実施の形態と同じである。
【００３９】
すなわち、精算時において、ＰＯＳ端末２は図１７に示す流れ図に基づく処理を行い、携帯情報端末６は図１８に示す流れ図に基づく処理を行う。また、店舗サーバ１は図１９に示す流れ図に基づく処理を行う。  
先ず、携帯情報端末６は、精算時に、図１８のＳ５１にて、自己のメールアドレスをＰＯＳ端末２に送信する（アドレス送信手段）。これに対し、ＰＯＳ端末２は、図１７のＳ５２にて、携帯情報端末６からのメールアドレスを受信する（アドレス受信手段）。
【００４０】
ＰＯＳ端末２は、続いて、Ｓ５３にて、購入商品の精算処理が終了したかをチェックし、終了していれば、Ｓ５４にて、仮の識別子を生成する（識別子発行手段）。続いて、Ｓ５５にて、購入金額に応じて与えるサービスポイントのデータを生成し、これに仮の識別子、店舗コード、日付情報、使用上限回数を付加して電子バリューを発行する（電子バリュー発行手段）。そして、この電子バリューに電子署名を付加する（電子署名付加手段）。こうして、電子署名付き電子バリューを生成する。
【００４１】
続いて、Ｓ５６にて、生成した電子署名付き電子バリューと会員登録案内情報をメールで携帯情報端末６に送信する（電子バリュー送信手段）。なお、会員登録案内情報には、会員登録に必要な申し込みフォーマットが付加されている。また、メールアドレスと電子署名付き電子バリューを店舗サーバ１へ送信する
これに対し、携帯情報端末６は、図１８のＳ５７にて、ＰＯＳ端末２からのメールの受信に待機し、第１の電子バリュー受信手段によりメールを受信すると、続いて、Ｓ５８にて、個人情報の入力をチェックする。携帯情報端末６では、受信した会員登録案内情報の申し込みフォーマットに従ってキー入力部３４を操作して個人情報を入力する（個人情報入力手段）。
【００４２】
そして、Ｓ５８にて、個人情報の入力を判断すると、携帯情報端末６は、Ｓ５９にて、入力された個人情報と電子署名付き電子バリューを店舗サーバ１へ送信する（第１の電子バリュー送信手段）。このときの送信は、メールでもＵＲＬによるアクセスでも良い。
【００４３】
これに対し、店舗サーバ１は、図１９のＳ６０にて、携帯情報端末６から個人情報と電子署名付き電子バリューを受信する（受信手段）。そして、受信した個人情報に基づいて会員登録処理を行い、新規に会員番号を発行し、会員識別子を生成する（会員識別子発行手段）。また、会員識別子に関連付けて受信した個人情報をデータベース２４に登録する（会員登録手段）。
【００４４】
続いて、Ｓ６１にて、会員識別子を使用して電子署名付き電子バリューを生成する（電子バリュー発行手段）。そして、発行した電子バリューに電子署名を付加する（電子署名付加手段）。  
続いて、Ｓ６２にて、生成した電子署名付き電子バリューとこの電子バリューをＰＯＳ端末２にて使用するときに必要なプログラムを携帯情報端末６へ送信する（電子バリュー送信手段）。
【００４５】
携帯情報端末６は、図１８のＳ６３にて、店舗サーバ１からの電子バリューとプログラムの受信に待機し、受信を判断すると、Ｓ６４にて、受信した会員識別子を使用した電子署名付き電子バリューを記憶部３３に記憶する（第２の電子バリュー受信手段）。また、受信した電子バリュー使用時に必要なプログラムをインストール処理する。
【００４６】
このように、携帯情報端末６は事前に仮の識別子を生成するためのプログラムをダウンロードしなくても、ＰＯＳ端末２にメールアドレスを送信するのみでＰＯＳ端末で仮の識別子を発行して電子バリューを使用した処理ができる。また、この実施の形態においても、事前に会員登録を行っていない状態でサービスポイントのデータを含む電子バリューを利用することができ、これにより会員の確保も容易にできる。
【００４７】
なお、前述した各実施の形態では電子バリュー内のデータとして店が購入金額に応じて与えるサービスポイントを使用したものについて述べたがこれに限定するものでないのは勿論である。
【図面の簡単な説明】
【００４８】
【図１】本発明の、第１の実施の形態に係るシステム構成を示す図。
【図２】同実施の形態における、ＰＯＳ端末の要部構成を示すブロック図。
【図３】同実施の形態における、店舗サーバの要部構成を示すブロック図。
【図４】同実施の形態における、携帯情報端末の要部構成を示すブロック図。
【図５】同実施の形態で発行する仮の識別子のデータ構成フォーマットを示す図。
【図６】同実施の形態で発行する仮の識別子を使用して生成した電子署名付き電子バリューのデータ構成フォーマットを示す図。
【図７】同実施の形態における電子署名生成を説明するための図。
【図８】同実施の形態の携帯情報端末における仮の識別子を生成するプログラムのダウンロード処理を示す流れ図。
【図９】同実施の形態のＰＯＳ端末における電子バリュー生成処理を示す流れ図。
【図１０】同実施の形態の携帯情報端末における電子バリュー受信処理を示す流れ図。
【図１１】同実施の形態のＰＯＳ端末における電子バリュー更新処理を示す流れ図。
【図１２】同実施の形態の携帯情報端末による店舗サーバへの会員登録処理を示す流れ図。
【図１３】同実施の形態で発行する会員識別子のデータ構成フォーマットを示す図。
【図１４】同実施の形態で発行する会員識別子を使用して生成した電子署名付き電子バリューのデータ構成フォーマットを示す図。
【図１５】同実施の形態の店舗サーバにおける会員登録処理を示す流れ図。
【図１６】同実施の形態において店舗サーバのデータベースに登録した会員登録情報を示す図。
【図１７】本発明の、第２の実施の形態に係るＰＯＳ端末における電子バリュー生成処理を示す流れ図。
【図１８】同実施の形態の携帯情報端末における電子バリュー受信処理を示す流れ図。
【図１９】同実施の形態の店舗サーバにおける会員登録処理を示す流れ図。
【符号の説明】
【００４９】
１…店舗サーバ、２…ＰＯＳ端末、６…携帯情報端末、１２…ＰＯＳ端末のアプリケーション実行部、２２…店舗サーバのアプリケーション実行部。
【図１】
2005258759.tif 000003
【図２】
2005258759.tif 000004
【図３】
2005258759.tif 000005
【図４】
2005258759.tif 000006
【図５】
2005258759.tif 000007
【図６】
2005258759.tif 000008
【図７】
2005258759.tif 000009
【図８】
2005258759.tif 000010
【図９】
2005258759.tif 000011
【図１０】
2005258759.tif 000012
【図１１】
2005258759.tif 000013
【図１２】
2005258759.tif 000014
【図１３】
2005258759.tif 000015
【図１４】
2005258759.tif 000016
【図１５】
2005258759.tif 000017
【図１６】
2005258759.tif 000018
【図１７】
2005258759.tif 000019
【図１８】
2005258759.tif 000020
【図１９】
2005258759.tif 000021